(57)【特許請求の範囲】
【請求項１】
表裏板と側板とで構成されたギターのボディの肩部における、前記表裏板と前記側板とを挾持するグリップと、このグリップの一方側に設けた、演奏者の胸部に接触する可撓性の当部とで構成されるギターの支持具。
【請求項２】
前記グリップは、前記当部が支持される前記裏板に係止される鍵形の固定ベースと、前記表板に係止される鍵形の可動ベースとで構成し、この可動ベースの移動を利用して、前記固定ベースとの間の間隔を調整可能とした請求項１に記載のギターの支持具。
【請求項３】
前記固定ベースと、前記当部との間に、基端を螺着した螺子部を備えた軸杆の自由端を、前記可動ベースに螺着し、この軸杆の螺入、螺戻とを介して、この固定ベースと、前記可動ベースとの間の間隔を調整可能とした請求項２に記載のギターの支持具。
【請求項４】
前記固定ベースにガイド片を設け、このガイド片には、前記可動ベースのガイド溝が遊嵌される構成とし、この可動ベースが、前記固定ベースの前記ガイド片を軌道として、前進、後退可能とした請求項２、又は請求項３に記載のギターの支持具。
【請求項５】
前記固定ベースのガイド片に、前記可動ベースのガイド溝を備えた天板が載架され、この天板の前垂れに、前記軸杆の自由端が螺着固止される構成とした請求項４に記載のギターの支持具。
【請求項６】
前記当部は、側面視して、略Ｕ形形状を呈し、演奏者の胸部に、当接する構成とした請求項１に記載のギターの支持具。
【発明の詳細な説明】
【技術分野】
【０００１】
本発明は、ギターを、演奏時において、正しい姿勢で、かつ正しく抱えること（支持すること）を意図した、ギターの支持具に関する。
【背景技術】
【０００２】
奏者が、正しい音色、快適な演奏、及び観衆を魅了する演奏、並びにオーケストラの競演を果すためには、前述の如く、ギターを、演奏時において、正しく支持することが必須要件である。この一環として、かつ世に問うために、出願人が、このような考えを持って、ギターを構える姿勢、この姿勢を維持の道具（例えば、足載せ台等）、及びギターの演奏の仕方（奏法）、並びに歴史等に関する本を出版した。それなりの反響を頂いており、感謝しています。
【０００３】
そこで、ギターを構える姿勢、この姿勢の維持の道具（例えば、椅子）、及びギターの支持具に関する従来技術を検討する。クラシックギターにおけるギターの支持具では、一般的に、着座した状態での演奏となることから、この椅子を利用したギターの支持具となる。この従来例では、左足を支持台に載せ、ギターの側板の括れ部を、左足に載せて、ギターを傾斜して支持する。しかし、この方法では、ギターが体に近く、前屈み姿勢で、かつ肩や背中に力が入り過ぎる結果として、心臓や肺を圧迫する。これによって、例えば、呼吸が乱れ、冷静な状態での演奏ができないとともに、落着きがない演奏となり易く、望ましい支持方法でない。
【０００４】
以上の改良の一環として、従来技術を考察する。例えば、特開２００３−２３３３７０号公報に記載の発明がある（文献（１）とする）。この発明は、略説すると、座面と演奏者の体とを利用し、支持具を起立し、支持具でギターの一点、例えば、裏板と、側壁等を抱持する手段と、支持具に設けた係止フックに肩掛けベールのストラップボタンを係止する手段である。また、特開２００５−４３８４４号公報に記載の発明がある（文献（２）とする）。この発明は、両腿に設置した各台座より延設した各支柱と各吸盤とを介して、ギターの全体を支持する構造である。その他として、特開２００６−３０８８３７号公報に記載の発明がある（文献（３）とする）。この発明は、裏板に設けた吸盤と、吸盤に結んだ紐との組合せ構造である。
【０００５】
【特許文献１】特開２００３−２３３３７０号公報
【特許文献２】特開２００５−４３８４４号公報
【特許文献３】特開２００６−３０８８３７号公報
【発明の概要】
【発明が解決しようとする課題】
【０００６】
前記文献（１）〜文献（３）は、何れも、ギターを体で、支持する構造であることから、当然に、体に負担を掛けることになり、適切な姿勢を確保できないこと、並びにギターを体から離した位置において、支持する構造ではないこと、等から改良の余地が有ると思われる。
【課題を解決するための手段】
【０００７】
上記に鑑み、本発明は、例えば、ギターを、体から離した位置において、支持する構造であって、体に負担を掛けず、かつ、体を適切な姿勢に確保できる支持具となる。また、背筋をピンとした（真直ぐに伸ばした）姿勢で、かつ肩や背中には力が入らず、心臓や肺を圧迫しない支持具となる。総括すると、例えば、呼吸が乱れ、冷静な状態での演奏ができないとともに、落着いた演奏ができる望ましい支持具を提供する。
【発明の効果】
【０００８】
請求項１の発明は、表裏板と側板とで構成されたギターのボディの肩部における、表裏板と側板とを挾持するグリップと、グリップの一方側に設けた、演奏者の胸部に接触する可撓性の当部とでなるギターの支持具であり、ギターを、体から離した位置において、支持する構造であって、体に負担を掛けず、かつ体を、適切な姿勢に確保できる支持具となること、又は背筋をピンとした（真直ぐに伸ばした）姿勢で、かつ肩や背中には力が入らず、心臓や肺を圧迫しない、支持具であること、或いは、呼吸が乱れず、冷静な状態での演奏ができるとともに、落着いた演奏ができる望ましい支持具を提供できること、等の実益がある。
【０００９】
請求項２の発明は、グリップは、当部が支持される裏板に係止される鍵形の固定ベースと、表板に係止される鍵形の可動ベースとで構成し、可動ベースの移動を利用して、固定ベースとの間の間隔を調整可能としたギターの支持具であり、請求項１の目的達成とともに、間隔調整に最適な構造を提案できること、等を特徴とする。
【００１０】
請求項３の発明は、固定ベースと、当部との間に、基端を螺着した螺子部を備えた軸杆の自由端を、可動ベースに螺着し、軸杆の螺入、螺戻とを介して、固定ベースと、可動ベースとの間の間隔を調整可能としたギターの支持具であり、請求項２の目的達成とともに、各人の体形に即した、間隔を保持可能とすること、等を特徴とする。
【００１１】
請求項４の発明は、固定ベースにガイド片を設け、ガイド片には、可動ベースのガイド溝が遊嵌される構成とし、可動ベースが、固定ベースのガイド片を軌道として、前進、後退可能としたギターの支持具ギターの支持具であり、請求項２、又は請求項３の目的達成とともに、間隔調整を図るのに、最適な構造を提案できること、等を特徴とする。
【００１２】
請求項５の発明は、固定ベースのガイド片に、可動ベースのガイド溝を備えた天板が載架され、天板の前垂れに、軸杆の自由端が螺着固止される構成としたギターの支持具であり、請求項４の目的達成とともに、間隔調整を図るのに、最適な、軸杆の構造を提案できること、等を特徴とする。
【００１３】
請求項６の発明は、当部は、側面視して、略Ｕ形形状を呈し、演奏者の胸部に、当接する構成としたギターの支持具であり、請求項１の目的達成とともに、間隔調整を図るのに、最適な、当部の構造を提案できること、等を特徴とする。
【図面の簡単な説明】
【００１４】
【図１】ギターを演奏している状態の模式図
【図２】本発明の使用状態を示した正面俯瞰図
【図３】本発明をギターにセット（挾持）した状態であり、図２を背面視した俯瞰図
【図４】本発明をギターにセットした状態であり、図２を平面視した俯瞰図
【図５】本発明の第１実施例を示した拡大斜視図
【図６−１】図５を分解し、可動ベースを示した拡大斜視図
【図６−２】図５を分解し、固定ベースを示した拡大斜視図
【図６−３】図５を分解し、軸杆と当部とを示した拡大斜視図
【図６−４】図５を分解し、スペーサを示した拡大斜視図
【図６−５】図５を分解し、当部を示した拡大斜視図
【図７】本発明の第２実施例を示した拡大斜視図
【図８−１】図７を分解し、可動ベースを示した拡大斜視図
【図８−２】図７を分解し、固定ベースを示した拡大斜視図
【図８−３】図７を分解し、軸杆と当部とを示した拡大斜視図
【図８−４】図７を分解し、スペーサを示した拡大斜視図
【図８−５】図７を分解し、当部を示した拡大斜視図
【発明を実施するための形態】
【００１５】
本発明の支持具（胸当用の支持具）は、第１実施例を示した図６−１〜図６−５と、第２実施例を示した図８−１〜図８−５と、を主要部品で構成される。
【００１６】
支持具の理解を容易にするために、その概要と、目的を述べる。
【００１７】
支持具は、１は可動ベースで、可動ベース１は、当該支持具の挾持時において、ギターＡのボディＡ４肩部Ａ１００の表板Ａ１に接触する。２は固定ベースで、固定ベース２は、当該支持具の挾持時において、ギターＡのボディＡ４肩部Ａ１００の裏板Ａ２に接触する。従って、この可動ベース１と固定ベース２とにより、肩部Ａ１００に支持具が取付けられる。３は当部で、固定ベース２と可動ベース１との間に螺着した軸杆５（螺杆）により、固定ベース１に貫設支持されており、人Ｈ（演奏者）の胸部Ｈ１に当接（接触）される。当部３は、樹脂等の可撓性素材で構成する。
【００１８】
以下、各パーツに関し、好ましい、一例を説明する。図２〜図６−５に示した構造が、第１実施例で、図７〜図８−５に示した構造が、第２実施例である。
【００１９】
図２〜図６−５に示した第１実施例では、可動ベース１は、略熊手形をした本体部１００と、折れ曲った自由端側１ａの引掛け部１０１、並びに収歛側１ｂの基端部１０２とで構成されており、この本体部１００の下面には、対のガイド端面１０３、１０３（対の場合、複数の場合等は、簡略化する。即ち、１０３とする）を両側に備えた板部１０４と、この板部１０４より垂設したガイド片部１０５とで構成する。また、固定ベース２は、本体部２００と、この本体部２００の一面２ａ（内面）より突設した、前記ガイド端面１０３の突条に遊嵌係止される係止竿として機能する対の溝付き腕部２０１と、で構成する。そして、本体部２００の上側には貫通孔２０２（螺孔でも可能であり、螺孔として、軸杆５を螺合する構造がよい）を有する。当部３は、略Ｕ字形を呈するとともに、人Ｈの胸部Ｈ１に接触する曲面形状の面３ａが、捻り３００を有する。この捻り３００は、体形に合せること、及び／又は、接触安定性を図ること等を考慮した構造である。捻り３００は、略板状の本体面３ｂ（固定ベース２側）に対して、捻ることで、捻り３００を形成する。従って、一面側が幅広の略Ｕ字形で、他面側が幅狭の略Ｕ字形である。前記当部３が取付けられる箇所が、固定ベース２の他面２ｂ（外面）である。そして、可動ベース１と固定ベース２、並びに当部３との組付け、即ち、支持具を組立てるには、例えば、可動ベース１のガイド端面１０３の突条に、腕部２０１の溝を遊嵌係止し、固定ベース２に可動ベース１を支持した後に、固定ベース２の貫通孔２０２より、当部３の貫通孔３０１（本体面３ｂに貫設した貫通孔３０１「螺孔でも可能であり、螺孔として、軸杆５を螺合する構造がよい」）に既に貫設した、軸杆５の螺子部５００の先端螺子を差入れる。そして、この螺子部５００の先端螺子を、可動ベース１の板部１０４の螺孔１０６に螺着する。この螺子部５００の先端螺子を、螺孔１０６に螺着することで、三者（可動ベース１、固定ベース２と、当部３とを云う）を連結、かつ組付ける（図５参照）。この状態に於いて、軸杆５を螺入すると（捻じ込むと）、可動ベース１は、そのガイド端面１０３の突条が、固定ベース２の腕部２０１の溝を、ガイドとして、図５に於いて、向かって、右方向に移動する。この可動ベース１の移動で、可動ベース１と固定ベース２との間隔が狭くなり、かつ可動ベース１が、ギターＡの表板Ａ１に、また、固定ベース２が、ギターＡの裏板Ａ２に接触する。さらに軸杆５を螺入すると、ギターＡが、可動ベース１と固定ベース２とで挾持されるとともに、当部３は、ギターＡの裏板Ａ２に間隔を持って支持される。また、人Ｈの胸部Ｈ１に間隔を持って、支持される。当部３の捻り３００を設けた意味合いは、ギターＡを構えるとき（支持したとき）に人Ｈに対してギターＡの竿Ａ３の部分が少し前に出るように構えるために、ギターＡのボディＡ４の部分も人Ｈの身体に対して１５度左肩Ｈ２の方が前に出ることになり、ボディＡ４に取り付け支持された当部３が、胸部Ｈ１にあたる部分を考慮しつつ、この支持具の当部３が、人Ｈの身体にフィットし、かつギターＡが人Ｈの前面にフィットする構造である。尚、図示しないが、ギターＡからの支持具の取外しは、前述の操作の逆であり、割愛する。また、ギターＡの支持と、演奏は従来と同様であるが、人Ｈに力みと、力が掛らず、前述の如く、優れた演奏と、疲労のない演奏が楽しめる効果がある。尚、この第１実施例（後述する第２実施例も同じ）では、図示しないが、可動ベース１のガイド端面１０３に溝を、固定ベース２の腕部２０１に突条を、それぞれ設ける構造（図示の例の逆）とか、可動ベース１のガイド端面１０３の突条、及び固定ベース２の腕部２０１の溝を設けない構成とかも採用可能である。
【００２０】
図７〜図８−５に示した第２実施例では、可動ベース１は、略熊手形をした本体部１００と、折れ曲った自由端側１ａの引掛け部１０１、並びに収歛側１ｂの基端部１０２とで構成されており、この本体部１００の下面には、対のガイド端面１０３を両側に備えた板部１０４と、この板部１０４に設けた水平板部１０７とで構成し、この本体部１００の下面には、突条を備えた対のガイド端面１０３を有する。そして、この対のガイド端面１０３の突条（可動ベース１）には、対の溝付き腕部２０１を備えた係止竿として機能する腕部２０１が遊嵌係止され、もって、可動ベース１と固定ベース２とが組付けられる。固定ベース２と当部３の働きと役割、並びに特徴は、第１実施例に準ずる。そして、可動ベース１と固定ベース２、並びに当部３との組付け、即ち、支持具を組立てるには、例えば、固定ベース２の腕部２０１の溝を、可動ベース１のガイド端面１０３の突条に遊嵌係止し、固定ベース２に可動ベース１を支持した後に、当部３の貫通孔３０１（本体面３ｂに貫設した貫通孔３０１）に既に貫設した、軸杆５の螺子部５００を、固定ベース２の貫通孔２０２を通した後に、螺子部５００の先端螺子を、可動ベース１の板部１０４の螺孔１０６に螺着する。このように、螺子部５００の先端螺子を、可動ベース１の螺孔１０６に螺着することで、この三者を連結、かつ組付ける（図７参照）。その他の構造等は、前述の第１実施例に準ずる。
【００２１】
尚、６はスペーサで、スペーサ６は、数種類の厚みを備えた構造とする。例えば、厚い方から、薄い方に向かって、複数枚とする。簡単な例として、厚みの大中小とする。この数種類の厚みとする理由は、人Ｈの体型によってギターＡを構える場合、足の長さやボディＡ４の長さなども関係するので、その厚みを調整するためのものであり、例えば、固定ベース２と当部３との間に設け、このスペーサ６に設けた貫通孔６００に軸杆５を差込み支持する。
【００２２】
尚、可動ベース１の引掛け部１０１が湾曲していることから、クッション性を備え、ギターＡの表板Ａ１を優しく捉え得る。また、固定ベース２の本体部２００は、ギターＡの裏板Ａ２に密着するように設置される。この引掛け部１０１と本体部２００とで、ギターＡを抱持（挾持）する。また、軸杆５の螺入と螺戻とを介して（操作で）、可動ベース１と固定ベース２との間隔Ｂを調整する。或いは、スペーサ６を利用して、間隔Ｂをさらに調整可能であり、全てのギターＡ、及び／又は、取付け位置を、好みのように、変更できる。
【００２３】
図中８は弾性シートを示す。
【００２４】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２５】
１  可動ベース
１ａ  自由端側
１ｂ  収歛側
１００  本体部
１０１  引掛け部
１０２  基端部
１０３  ガイド端面
１０４  板部
１０５  ガイド片部
１０６  螺孔
１０７  水平板部
２  固定ベース
２ａ  一面
２ｂ  他面
２００  本体部
２０１  腕部
２０２  貫通孔
３  当部
３ａ  面
３ｂ  本体面
３００  捻り
３０１  貫通孔
５  軸杆
５００  螺子部
６  スペーサ
６００  貫通孔
８  弾性シート
Ａ  ギター
Ａ１  表板
Ａ２  裏板
Ａ３  竿
Ａ４  ボディ
Ａ１００  肩部
Ｂ  間隔
Ｈ  人
Ｈ１  胸部
Ｈ２  左肩
【要約】
【課題】  クラシックギターは、椅子と足台を利用し、姿勢を維持して着座した状態での演奏となる。例えば、左足を足台に載せ、ギターの側板の括れ部を左足に載せて、ギターを傾斜して支持する。この方法では、ギターが体に近く、前屈み姿勢で肩や背中に力が入り過ぎる結果、心臓や肺を圧迫する。これにり、例えば呼吸が乱れ、冷静な状態での演奏ができず、また落着きがない演奏となり易く、望ましい支持方法でない。
【解決手段】  本発明は、ギターのボディを表裏板と側板とで構成し、ボディの肩部における、表裏板と側板とを挾持するグリップと、グリップの一方側に設けた、演奏者の胸部に接触する可撓性の当部とでなるギターの支持具であり、ギターを体から離した位置において支持する構造であって、体に負担を掛けず、かつ体を適切な姿勢に確保できる支持具となる。背筋をピンとした姿勢で、かつ肩や背中には力が入らず、心臓や肺を圧迫しない支持具である。
【選択図】      図１【図１】
0005654709.tif 000002
【図２】
0005654709.tif 000003
【図３】
0005654709.tif 000004
【図４】
0005654709.tif 000005
【図５】
0005654709.tif 000006
【図６−１】
0005654709.tif 000007
【図６−２】
0005654709.tif 000008
【図６−３】
0005654709.tif 000009
【図６−４】
0005654709.tif 000010
【図６−５】
0005654709.tif 000011
【図７】
0005654709.tif 000012
【図８−１】
0005654709.tif 000013
【図８−２】
0005654709.tif 000014
【図８−３】
0005654709.tif 000015
【図８−４】
0005654709.tif 000016
【図８−５】
0005654709.tif 000017